(57)【要約】【課題】クレー系グラウンドで生じる塵埃や砂塵を外部に漏らさず近隣対策が施され、災害時には仮設住宅の建設や災害避難所の設置等にも素早く対応できて便利な防塵グラウンドシステムを提供する。【解決手段】グラウンド１の外周ａに、同グラウンド１内から生じる塵埃１０や砂塵１１の飛散を防ぐ緑化フェンス２が設置され、その緑化フェンス２の内側に、前記グラウンド１内から生じる塵埃１０や砂塵１１を吸着自在な天然芝３０又は人工芝が舗装されて成る防塵芝エリア３が備えられて成る。【選択図】     図１
0003178599.tif 000002
【実用新案登録請求の範囲】
【請求項１】
グラウンドの外周に、同グラウンド内から生じる塵埃や砂塵の飛散を防ぐ緑化フェンスが設置され、その緑化フェンスの内側に、前記グラウンド内から生じる塵埃や砂塵を吸着自在な天然芝又は人工芝が舗装されて成る防塵芝エリアが備えられて成ることを特徴とする防塵グラウンドシステム。
【請求項２】
グラウンドの外周に、同グラウンド内から生じる塵埃や砂塵を吸着自在な天然芝又は人工芝が舗装されて成る防塵芝エリアが備えられ、その防塵芝エリアの内側に、前記グラウンド内から生じる塵埃や砂塵の飛散を防ぐ緑化フェンスが設置されて成ることを特徴とする防塵グラウンドシステム。
【請求項３】
防塵芝エリアは、グラウンドに隣接して備えられていることを特徴とする請求項１又は２に記載した防塵グラウンドシステム。
【請求項４】
緑化フェンスは、グラウンドの外周の一部に設置されていることを特徴とする請求項１〜３のいずれか１項に記載した防塵グラウンドシステム。
【請求項５】
緑化フェンスに、散水パイプが取り付けられ、且つ植物が絡まれて成ることを特徴とする請求項１又は２又は４に記載した防塵グラウンドシステム。
【請求項６】
緑化フェンス又は防塵芝エリアの外側に、防球ネットが設置されていることを特徴とする請求項１〜５のいずれか１項に記載した防塵グラウンドシステム。
【請求項７】
防球ネットの下方部に、上下方向に可動自在な防砂ネットが取り付けられていることを特徴とする請求項６に記載した防塵グラウンドシステム。
【請求項８】
グラウンドがクレー舗装されて成ることを特徴とする請求項１〜４のいずれか１項に記載した防塵グラウンドシステム。
【請求項９】
グラウンドが仮設住宅の建設、災害避難所の設置又は災害支援活動の提供場所に供されることを特徴とする請求項１又は２又は３又は４又は８に記載した防塵グラウンドシステム。
【請求項１０】
グラウンドがコートであることを特徴とする請求項１又は２又は３又は４又は８又は９に記載した防塵グラウンドシステム。
【考案の詳細な説明】
【技術分野】
【０００１】
本考案は、クレー系のグラウンド内から生じる塵埃や砂塵の外部への飛散を防ぐ防塵グラウンドシステムの技術分野に関する。
【背景技術】
【０００２】
昨今、校庭のグラウンドは、全天候化舗装が進んできているが、東日本大震災を機に、クレー舗装された土系グラウンドが見直されている。
【０００３】
というのは、全天候型グラウンドの場合、災害時にそこを仮設住宅の建設や災害避難所の設置に供しようとすると、その全天候型グラウンドを構成するゴムやアクリルが発火しやすく危険であったり、そもそもアスファルトを除去しての施工となって大変面倒である等の問題が生じる。
【０００４】
この点、クレー舗装された土系のラウンドであれば、災害時の仮設住宅の建設や災害避難所の設置に容易であり、また災害支援活動の提供場所にも好適なのである。
【０００５】
これに関連し、例えば下記特許文献１に記載のように、ゴム系多孔質フレキシブルパイプをグラウンドに埋設し、該パイプに水供給源を接続して水圧をかけることにより、該パイプから滲み出た水を土壌の毛管作用によって地表面に上昇拡散せしめ、砂ボコリの発生を防止する土系グラウンドの防塵方法が公知に属する（請求項１参照）。
【先行技術文献】
【特許文献】
【０００６】
【特許文献１】特公平７−８６２０７号公報
【考案の概要】
【考案が解決しようとする課題】
【０００７】
前記特許文献１に開示された発明は、ゴム系多孔質フレキシブルパイプをグラウンドに埋設するため、施工コストが高くつく上、グラウンド内への埋設工事が大変面倒で煩わしい。しかも、グラウンド内のゴム系多孔質フレキシブルパイプを直接見ることができないから、点検・管理上も不都合といった問題がある。
【０００８】
しかるに、本考案が解決しようとする課題は、クレー系グラウンドで生じる塵埃や砂塵を外部に漏らさず近隣対策が施され、災害時には仮設住宅の建設や災害避難所の設置等にも素早く対応できて便利な防塵グラウンドシステムを提供することにある。
【課題を解決するための手段】
【０００９】
上記課題を解決するための手段として、請求項１記載の考案の防塵グラウンドシステムは、グラウンド１の外周ａに、同グラウンド１内から生じる塵埃１０や砂塵１１の飛散を防ぐ緑化フェンス２が設置され、その緑化フェンス２の内側に、前記グラウンド１内から生じる塵埃１０や砂塵１１を吸着自在な天然芝３０又は人工芝が舗装されて成る防塵芝エリア３が備えられて成ることを特徴とする。
【００１０】
請求項２記載の考案の防塵グラウンドシステムは、グラウンド１の外周ａに、同グラウンド１内から生じる塵埃１０や砂塵１１を吸着自在な天然芝３０又は人工芝が舗装されて成る防塵芝エリア３が備えられ、その防塵芝エリア３の内側に、前記グラウンド１内から生じる塵埃１０や砂塵１１の飛散を防ぐ緑化フェンス２が設置されて成ることを特徴とする。
【００１１】
請求項３記載の考案の防塵グラウンドシステムは、前記防塵芝エリア３が、グラウンド１に隣接して備えられていることを特徴とする。
【００１２】
請求項４記載の考案の防塵グラウンドシステムは、前記緑化フェンス２が、グラウンド１の外周ａの一部に設置されていることを特徴とする。
【００１３】
請求項５記載の考案の防塵グラウンドシステムは、前記緑化フェンス２に、散水パイプ５が取り付けられ、且つ植物９が絡まれて成ることを特徴とする。
【００１４】
請求項６記載の考案の防塵グラウンドシステムは、前記緑化フェンス２又は防塵芝エリア３の外側に、防球ネット６が設置されていることを特徴とする。
【００１５】
請求項７記載の考案の防塵グラウンドシステムは、前記防球ネット６の下方部６０に、上下方向に可動自在な防砂ネット７が取り付けられていることを特徴とする。
【００１６】
請求項８記載の考案の防塵グラウンドシステムは、前記グラウンド１がクレー舗装されて成ることを特徴とする。
【００１７】
請求項９記載の考案の防塵グラウンドシステムは、前記グラウンド１が仮設住宅８の建設、災害避難所の設置又は災害支援活動の提供場所に供されることを特徴とする。
【００１８】
請求項１０記載の考案の防塵グラウンドシステムは、前記グラウンド１がコートであることを特徴とする。
【考案の効果】
【００１９】
請求項１記載の考案の防塵グラウンドシステムは、グラウンドの外周に、グラウンド内から生じる塵埃や砂塵の飛散を防ぐ緑化フェンスが設置され、その緑化フェンスの内側に、グラウンド内から生じる塵埃や砂塵を吸着自在な天然芝や人工芝が舗装された防塵芝エリアが備えられているので、クレー系グラウンドで生じる塵埃や砂塵は、第一次的に内側の防塵芝エリアで堆積され、第二次的に前記の防塵芝エリア内の塵埃や砂塵が外側の緑化フェンスで防御されるので、グラウンド内で生じた塵埃や砂塵は、極力外部に漏らさない近隣対策が実現され、かかる近隣住民とグラウンド内で活動する者の健康管理上よい。
【００２０】
また、この防塵グラウンドシステムは、災害時に、仮設住宅の建設や災害避難所の設置に迅速に対応でき、災害支援活動の提供場所に供したり、或いはヘリポートとして緊急に使用できる利便性にも優れている（請求項９）。
【００２１】
請求項２の防塵グラウンドシステムでは、クレー系グラウンドで生じる塵埃や砂塵が、第一次的には内側の緑化フェンスで防御される。そして当該緑化フェンスを越えた塵埃や砂塵が、第二次的に外側の防塵芝エリアで堆積されるので、前記請求項１のシステムと同様に、グラウンド内で生じた塵埃や砂塵を外部に漏らさない近隣対策と、グラウンド内の活動者の健康管理に万全が期されている。
【００２２】
前記の防塵芝エリアは、請求項３のように、グラウンドに隣接して備えられているので、クレー系グラウンドで生じる塵埃や砂塵をグラウンドの外周で飛散させずに、当該防塵芝エリアに堆積させて外部への飛散を防止している。
【００２３】
また、緑化フェンスは、グラウンドの外周の一部に設置できるため（請求項４）、必要最小限の住宅沿いや道路沿いにのみ緑化フェンスを設置することで、施工効率性、施工コストの低減化にも寄与する。
【００２４】
さらにこの緑化フェンスに、散水パイプを取り付けると共に、常緑樹等の植物を絡ませることで（請求項５）、クレー系グラウンドで生じる塵埃や砂塵をこの常緑樹に付着させ飛散を効果的に防ぐことができる。また、夏場の温度抑制の副次的効果も期待できる。
【００２５】
緑化フェンス又は防塵芝エリアの外側には、防球ネットを設置できるから（請求項６）、塵埃や砂塵の飛散防止と共に、ボールの外部への放出が防止される。しかも、この防球ネットの下方部に、上下方向に可動自在な防砂ネットを必要範囲で取り付けられ（請求項７）、より一層塵埃や砂塵の飛散防止が図られる。
【００２６】
上述した本防塵グラウンドシステムは、グラウンドがクレー舗装されて成る土系グラウンドで好適である（請求項８）ほか、請求項１０のように、そのようなグラウンドだけでなく、クレー系のコートでも同様に実施でき同様の効果を奏する利便性に優れている。
【図面の簡単な説明】
【００２７】
【図１】本考案の防塵グラウンドシステムを平面的に示した説明図である。
【００２８】
【図２】本防塵グラウンドシステムにおける緑化フェンスとその中の仮設住宅を外側から示した説明正面図である。
【００２９】
【図３】本防塵グラウンドシステムにおける緑化フェンスと防塵芝エリアを側面方向から示した説明図である。
【００３０】
【図４】本防塵グラウンドシステムにおいて植物が絡まれた緑化フェンスと仮設住宅を示した斜視図である。
【考案を実施するための最良の形態】
【００３１】
請求項１〜１０に係る防塵グラウンドシステムの好適な実施形態について、図面に従いながら説明する。なお、本防塵グラウンドシステムは、図示説明を省略した土系のコートにおいても同様に実施可能である。
【００３２】
図１は、本実施形態の防塵グラウンドシステムの全体図を示しているものである。
【００３３】
この防塵グラウンドシステムは、クレー舗装された所謂クレー系グラウンドにおいて好適に実施される。当該クレー系グラウンド１の外周ａに、同グラウンド１内から生じる塵埃１０や砂塵１１の飛散を防ぐための緑化フェンス２が設置されている。当該緑化フェンス２には、散水パイプ５が取り付けられ、また植物９が絡まれている。当該植物９としては、常緑樹が好適であり、前記散水パイプ５からの散水が自在に構成されている（図３、図４参照）。
【００３４】
当該緑化フェンス２は、グラウンド１の外周ａの一部、例えば、道路に面したエリアに設置されていることを特徴とする。図１に例示したように、校舎２０や体育館２１に面していない道路方向には民家が建っていることが多く、近隣住民への塵埃１０や砂塵１１の飛散防止を図るためである。
【００３５】
そして、前記緑化フェンス２の内側に、前記グラウンド１内から生じる塵埃１０や砂塵１１を吸着自在な天然芝３０が舗装されて成る防塵芝エリア３が備えられた構成とされている。なお、防塵芝エリア３に舗装する天然芝３０の代りに人工芝を舗装する形態でも実施可能である。また、図中符号２２は、側溝を示している。
【００３６】
かくして前記防塵芝エリア３は、前記緑化フェンス２に隣接すると共に、グラウンド１に隣接して備えられている。
【００３７】
なお、通例、前記緑化フェンス２の外側には、支柱６１・・・で広範囲に高く支持された防球ネット６が設置されて実施されることが多い。そして図３に示したように、当該防球ネット６の下方部６０に、上下方向に可動自在な防砂ネット７が取り付けられているので、ボールの外部への放出を防ぐ上、塵埃１０や砂塵１１の飛散を効果的に防ぐことができる。
【００３８】
したがって、クレー系のグラウンド１で生じる塵埃１０や砂塵１１は、まず最初に内側の防塵芝エリア３で堆積される。そして次に、防塵芝エリア３内の塵埃１０や砂塵１１が外側の緑化フェンス２で防御される。よって、グラウンド１内で生じた塵埃１０や砂塵１１の外部への飛散を抑えられる。
【００３９】
或いはまた、本実施形態の防塵グラウンドシステムは、大地震等の災害時に、図２、図４に示した如く、当該グラウンド１内に仮設住宅８を建設したり、災害避難所の設置等に使用することも可能である。
【異なる実施形態】
【００４０】
上述した実施形態のほか、云わば逆バージョンとして、グラウンド１の外周ａに防塵芝エリア３を備え、その防塵芝エリア３の内側に緑化フェンス２を設置する形態、すなわち、防塵芝エリア３が緑化フェンス２に対し、外側に配する形態でも前記と同様に実施される（図示は省略）。
【００４１】
この実施形態では、クレー系グラウンド１で生じる塵埃１０や砂塵１１が、第一次的には内側の緑化フェンス２で防御される。つぎに当該緑化フェンス１を越えた塵埃１０や砂塵１１が、外側の防塵芝エリア３で堆積される。かくして、上記のシステムと同様に、グラウンド１内で生じた塵埃１０や砂塵１１を外部に飛散させない近隣対策が図られる。
【符号の説明】
【００４２】
１      グラウンド
ａ      外周
１０    塵埃
１１    砂塵
２      緑化フェンス
３      防塵芝エリア
３０    天然芝
５      散水パイプ
６      防球ネット
６０    下方部
７      防砂ネット
８      仮設住宅
９      植物
【図１】
0003178599.tif 000003
【図２】
0003178599.tif 000004
【図３】
0003178599.tif 000005
【図４】
0003178599.tif 000006